(57)【要約】【課題】撮像画像の詳細な確認を容易にすることができるデジタルカメラ。【解決手段】レリーズスイッチによって撮像指示すると、ＣＣＤが被写体を撮像する。この撮像指示をした後、オン状態検出部がレリーズスイッチのオン状態を継続して検出したときに、表示制御部がレリーズスイッチのオン状態の間だけＬＣＤモニタに撮像画像を表示するように制御する。これと共に、該オン状態の間に画像表示に関連する指示がズームボタン、十字キーからなされたときに、ＬＣＤモニタに表示する撮像画像の表示対象領域の大きさ、位置等が変更される。【選択図】　　　　図４
2004146901.tif 000002
【特許請求の範囲】
【請求項１】
被写体を撮像して撮像画像を生成する撮像手段と、
前記撮像画像を表示する表示手段と、
指示スイッチを備え、該指示スイッチによるオン状態で前記撮像手段に撮像を指示する指示手段と、
画像表示に関連する指示を担当する入力手段と、
前記指示手段のオン状態が前記撮像指示後に継続して検出されたときに、前記オン状態の間だけ前記撮像画像が前記表示手段に表示されるように制御しかつ、該オン状態の間に前記入力手段による指示がなされたときに、前記表示手段に表示する撮像画像の表示対象領域の大きさについての変更を制御する制御手段と、
を備えたデジタルカメラ。
【請求項２】
前記制御手段は、
前記オン状態の間だけ前記撮像画像が前記表示手段に表示されるように制御する表示制御手段と、
前記指示手段のオン状態の間に前記入力手段による指示がなされたときに、前記表示手段に表示される撮像画像の表示対象領域の大きさについての変更を制御する領域制御手段と、
を有することを特徴とする請求項１記載のデジタルカメラ。
【請求項３】
前記領域制御手段は、前記入力手段による指示に基づいて表示対象領域の位置を変更する位置制御手段を含むことを特徴とする請求項２記載のデジタルカメラ。
【請求項４】
前記制御手段は、前記オン状態の継続時間を検出する検出手段を含むことを特徴とする請求項１乃至請求項３の何れか１項に記載のデジタルカメラ。
【請求項５】
前記指示手段は、レリーズスイッチであることを特徴とする請求項１乃至請求項４の何れか１項に記載のデジタルカメラ。
【発明の詳細な説明】
【０００１】
【発明の属する技術分野】
本発明は、デジタルカメラにかかり、特に、撮像直後の撮像画像をＬＣＤなどの表示手段に表示するデジタルカメラに関する。
【０００２】
【従来の技術】
従来より被写体を静止画撮像し、その撮像画像を電子データとして記録するデジタルカメラがある。
【０００３】
このデジタルカメラには、撮像画像等を表示する液晶表示ディスプレイ（以下、ＬＣＤという）を備えたものがある。このデジタルカメラでは、撮像画像を撮像した直後に、ＬＣＤに所定時間だけ表示する機能（いわゆるプレビュー画像表示機能）を備えているものもある（例えば、特許文献１参照。）。
【０００４】
しかしながら、従来のデジタルカメラでは、プレビュー画像表示機能によって所定時間だけ撮像画像を表示するため、撮像画像の表示時間を変更できなかった。これにより、ユーザが希望する確認参照時間に拘らずプレビュー画像表示が終了してしまう。また、連続して撮像したい場合では、プレビュー画像表示が終了するまで次の撮像を待たなければならなくなるため、撮像タイミングを逃してしまうことがある。
【０００５】
この問題を解消するために、プレビュー画像表示において、ユーザが希望する確認参照時間だけ撮像画像をＬＣＤに表示する機能を備えたものが知られている。
【０００６】
【特許文献１】
特開２００１−１９７３４６公報（第７−８頁、第８図）
【０００７】
【発明が解決しようとする課題】
しかしながら、確認参照時間だけ撮像画像をＬＣＤに表示する機能を備えていても、ＬＣＤに表示される撮像画像は、単に表示を維持するのみである。このため、撮像画像を詳細に確認する場合には、一旦表示を終了し、記録画像を読み出して、再表示する必要があった。
【０００８】
本発明は上記事実を考慮し、撮像画像の詳細な確認を容易にすることができるデジタルカメラを提供することを目的とする。
【０００９】
【課題を解決するための手段】
請求項１に記載の発明は、被写体を撮像して撮像画像を生成する撮像手段と、前記撮像画像を表示する表示手段と、指示スイッチを備え、該指示スイッチによるオン状態で前記撮像手段に撮像を指示する指示手段と、画像表示に関連する指示を担当する入力手段と、前記指示手段のオン状態が前記撮像指示後に継続して検出されたときに、前記オン状態の間だけ前記撮像画像が前記表示手段に表示されるように制御しかつ、該オン状態の間に前記入力手段による指示がなされたときに、前記表示手段に表示する撮像画像の表示対象領域の大きさについての変更を制御する制御手段と、を備えたことを特徴としている。
【００１０】
請求項１に記載の発明によれば、指示スイッチによるオン状態で撮像手段に撮像を指示すると、表示手段には、撮像手段によって撮像された被写体の撮像画像が表示される。ここで、制御手段は、指示手段のオン状態が撮像指示後に継続して検出されるときに、この撮像画像を表示手段に表示するように制御する。これと共に制御手段は、指示手段のオン状態の間に画像表示に関連する指示が入力手段によってなされたときに、表示手段に表示する撮像画像の表示対象領域の大きさについての変更を制御する。このため、指示手段をオン状態とする時間に応じて、撮像指示後に前記撮像画像を表示する時間を変更できる。この撮像画像の表示中には、この撮像画像の表示対象領域の大きさを変更することができ、撮像画像の詳細な確認を容易にすることができる。
【００１１】
請求項２に記載の発明は、請求項１に記載の発明において、前記制御手段は、前記オン状態の間だけ前記撮像画像が前記表示手段に表示されるように制御する表示制御手段と、前記指示手段のオン状態の間に前記入力手段による指示がなされたときに、前記表示手段に表示される撮像画像の表示対象領域の大きさについての変更を制御する領域制御手段と、を有することを特徴としている。
【００１２】
請求項２に記載の発明によれば、制御手段が表示制御手段と領域制御手段とを有し、撮像画像の表示対象領域の大きさの変更の制御と表示制御とが分散して行われるため、装置にかかる負荷を軽減することができる。
【００１３】
請求項３に記載の発明は、請求項２に記載の発明において、前記領域制御手段は、前記入力手段による指示に基づいて表示対象領域の位置を変更する位置制御手段を含むことを特徴としている。
【００１４】
請求項３に記載の発明によれば、撮像画像の表示対象領域の大きさの変更だけでなく、表示対象領域の位置も変更することで、撮像直後の撮像画像の詳細な確認がより一層容易となる。
【００１５】
請求項４に記載の発明は、請求項１乃至請求項３の何れか１項に記載の発明において、前記制御手段は、前記オン状態の継続時間を検出する検出手段を含むことを特徴としている。
【００１６】
請求項４に記載の発明によれば、制御手段が検出手段を含むことで、表示継続時間を容易に把握することができる。
【００１７】
請求項５に記載の発明は、請求項１乃至請求項４の何れか１項に記載の発明において、前記指示手段は、レリーズスイッチであることを特徴としている。
【００１８】
請求項５に記載の発明によれば、レリーズスイッチに指示手段の役割を持たせることで、装置構成の簡略化を図ることができる。
【００１９】
【発明の実施の形態】
図１には、本実施の形態に係るデジタルカメラ（以下、単にカメラという）１０の構成の概要を示すブロック図が示されている。
【００２０】
カメラ１０には、レンズ１２が設けられている。このレンズ１２は、被写体の焦点距離及び絞り値を調整する役割を有する。
【００２１】
このレンズ１２を透過する光の出射方向には、被写体を撮像、すなわち、被写体からの光を、電気信号に変換し、撮像画像を得る固体撮像素子ＣＣＤ（以下、単にＣＣＤという）１４が備えられている。このＣＣＤ１４による撮像画像は、Ｒ（赤）、Ｇ（緑）、Ｂ（青）の各色に対応する撮像画像信号を得ることができる。
【００２２】
このＣＣＤ１４には、ＣＣＤ１４から入力した撮像画像信号を増幅する増幅回路１６が接続されている。さらに、この増幅回路１６には、アナログ信号をデジタル信号に変換するＡ／Ｄコンバータ１８が接続されている。このＡ／Ｄコンバータ１８は、増幅回路１６によって増幅された撮像画像信号をアナログ信号からデジタル信号に変換するようになっている。
【００２３】
また、このＡ／Ｄコンバータ１８には、撮像画像信号から画像データを作成する等の信号処理を行う画像信号処理部２０が接続されている。さらに、この画像信号処理部２０には、画像データに対応した撮像画像を表示するＬＣＤモニタ２２が接続されている。画像信号処理部２０は、Ａ／Ｄコンバータ１８によってデジタル信号に変換された撮像画像信号を入力し、この撮像画像信号から画像データを作成してＬＣＤモニタ２２へ出力するようになっている。ＬＣＤモニタ２２の画素数は、６４０×４８０ピクセルとなっており、このＬＣＤモニタ２２では、画像信号処理部２０から出力された画像データに応じて撮像画像の表示が行われるようになっている。なお、本実施の形態では、カメラ１０がＬＣＤモニタ２２を備えるものとしたが、本発明はこれに限らない。例えば、カメラ１０にＬＣＤモニタ２２を備える代わりに、画像データを外部に出力するための出力端子を設け、この出力端子に接続された外部モニタにこの画像データと対応した撮像画像が表示されるようにしてもよい。
【００２４】
また、画像信号処理部２０には、上述したＣＣＤ１４の動作タイミングを定めるクロックを生成するＣＣＤタイミング発生器２４が接続されている。このＣＣＤタイミング発生器２４は、ＣＣＤ１４にも接続されており、このＣＣＤ１４はＣＣＤタイミング発生器２４から出力されたクロックに応じて動作タイミングが決定されるようになっている。
【００２５】
さらに、画像信号処理部２０には、被写体の撮像を指示するレリーズスイッチ２６が接続されている。このレリーズスイッチ２６は、押圧するとオン状態となり、画像信号処理部２０がＣＣＤタイミング発生器２４を制御してＣＣＤ１４に撮像を指示するようになっている。また、画像信号処理部２０には、撮像画像信号から作成した画像データを記憶するためのメモリカード２８が接続されており、この画像データを保存できるようになっている。このメモリカード２８は、カメラ１０に対して着脱可能となっている。カメラ１０から取り外したメモリカード２８は、例えば、パーソナルコンピュータ、又はメモリカード２８を着脱可能とするプリンタに接続することで、このパーソナルコンピュータによる撮像画像の管理、又はこのプリンタによる印刷ができる。
【００２６】
また、画像信号処理部２０には、撮像画像信号から作成した画像データを一時的に記憶するメモリＩＣ３８が接続されている。このメモリＩＣ３８は、レリーズスイッチ２６のオン状態が撮像指示後に継続して検出されたときに、オン状態の間だけ撮像画像信号から作成された画像データを記憶できるようになっている。
【００２７】
さらに、画像信号処理部２０には、画像表示に関連する指示を担当する、ズームボタン４０及び十字キー４２が接続されている。
【００２８】
ズームボタン４０は、撮像画像の表示対象領域の大きさの変更を指示するものであり、撮像画像の表示対象領域を拡大又は縮小する表示対象領域サイズ変更指示を画像信号処理部２０に送る。カメラ１０は、被写体を撮像する撮像モードと、撮像済みの撮像画像をＬＣＤモニタ２２に再生する再生モードと、の切換えができるようになっており、このズームボタン４０による表示対象領域サイズ変更指示は、再生モードにおける撮像画像に対してだけでなく、撮像モードにおける撮像直後の撮像画像（プレビュー画像）に対しても有効とされる。
【００２９】
十字キー４２は、ＬＣＤモニタ２２に表示される撮像画像について、この撮像画像の少なくとも一部の表示対象領域の設定を指示（表示対象領域設定指示）するものである。十字キー４２は、この他にも撮像モードにおける撮像条件、再生モードにおけるＬＣＤモニタ２２に表示される撮像画像の選択等を指定するために用いられる。この十字キー４２は、レリーズスイッチ２６のオン状態の間にＬＣＤモニタ２２に表示される撮像画像について、表示対象領域の位置を変更するためにも用いられ、再生モードにおける撮像画像に対してだけでなく、撮像モードにおけるプレビュー画像に対しても有効とされる。
【００３０】
ここで、画像信号処理部２０の内部は、レンズ１２による絞り値及び焦点位置を算出するＡＥ／ＡＦ算出部３０と、ＬＣＤモニタ２２に撮像モードにおける撮像直後の撮像画像を表示（プレビュー画像表示）するように制御するプレビュー画像表示制御部３２と、プレビュー画像表示している際に、ＬＣＤモニタ２２に表示する撮像画像の表示対象領域の大きさについての変更を制御する表示対象領域変更部４４と、を含んで構成されている。
【００３１】
ＡＥ／ＡＦ算出部３０では、レンズ１２による絞り値を算出した結果であるＡＥ値と、被写体に合焦するための焦点位置を算出した結果であるＡＦ値とが、Ａ／Ｄコンバータ１８から出力された撮像画像信号に基づいて求められる。上述した画像信号処理部２０には、図示しないモータを介して上述したレンズ１２が接続されており、ＡＥ／ＡＦ算出部３０において算出されたＡＥ値及びＡＦ値に基づいてこのモータを駆動し、レンズ１２の絞り値及び焦点位置が調整される。
【００３２】
プレビュー画像表示制御部３２は、レリーズスイッチ２６のオン状態を撮像指示後に継続して検出したときに、このオン状態の間だけプレビュー画像表示が行われるように制御するものである。このプレビュー画像表示制御部３２は、レリーズスイッチ２６のオン状態の継続時間を検出するオン状態検出部３４と、このオン状態の継続時間中にＬＣＤモニタ２２でプレビュー画像表示するように制御する表示制御部３６とから構成されている。
【００３３】
表示制御部３６には、図示しないメモリが備えられており、この図示しないメモリはＡ／Ｄコンバータ１８から入力した撮像画像信号に対応した画像データを一時的に記憶できるようになっている。この画像データが表示制御部３６の図示しないメモリに記憶されると、この画像データはＬＣＤモニタ２２に出力されるようになっている。
【００３４】
表示対象領域変更部４４は、レリーズスイッチ２６のオン状態の間に、ズームボタン４０と十字キー４２との少なくとも一方による指示を受けてＬＣＤモニタ２２に表示する撮像画像の表示対象領域の大きさ等の変更を制御するものである。この表示対象領域変更部４４は、撮像画像の表示対象領域を拡大又は縮小して変更する拡縮変更部４６と、撮像画像内での表示対象領域の位置を変更する位置変更部４８と、から構成されている。
【００３５】
拡縮変更部４６は、レリーズスイッチ２６のオン状態の間にズームボタン４０による表示対象領域サイズ変更指示がなされたときに、ＬＣＤモニタ２２に表示される撮像画像の表示対象領域の大きさについての変更を制御するようになっている。
【００３６】
また、位置変更部４８は、レリーズスイッチ２６のオン状態の間に十字キー４２による表示対象領域設定指示に基づいて、表示対象領域の位置を変更するようになっている。
【００３７】
なお、上述した画像信号処理部２０には、図示しないＣＰＵが備えられており、レンズ１２に接続された図示しないモータの駆動と、ＣＣＤタイミング発生器２４の動作と、画像データの書込み及び読出し等を制御するようになっている。
【００３８】
図２には、レリーズスイッチ２６を押圧して実行される、カメラ１０の動作シーケンスが示されている。なお、図中において、「Ｓ１」はレリーズスイッチ２６を半押しすること示し、「Ｓ２」はレリーズスイッチ２６を全押しすることを示している。
【００３９】
被写体を撮像することができる状態では、ＬＣＤモニタ２２において、ＣＣＤ１４で撮像した被写体の動画像（スルー画像、すなわち、実時間で撮像している画像）が表示されるようになっている。このスルー画像が表示されている際に、レリーズスイッチ２６を半押した後にレリーズ上げをする（レリーズスイッチ２６をオフにする）と、ＡＥ／ＡＦ算出部３０が動作してＡＥ値及びＡＦ値が求められるようになっている。求められたＡＥ値及びＡＦ値に基づいて、レンズ１２の絞り量及び被写体の焦点位置が調整（補正）されるようになっている。
【００４０】
その後、レリーズスイッチ２６が全押しされると、スルー画像の表示が終了すると共に、ＣＣＤ１４によって被写体が撮像され、増幅回路１６及びＡ／Ｄコンバータ１８を介した撮像画像信号が画像信号処理部２０によって信号処理され、画像データとされる。
【００４１】
この信号処理が終了すると、画像信号処理部２０は、作成された画像データに基づいて、ＬＣＤモニタ２２での表示に適するように画素数の調整等（リサイズ）が施された画像データ（以下、リサイズド画像データという）を作成し、このリサイズド画像データがメモリＩＣ３８に転送される。ここで、ＬＣＤモニタ２２の画素数に準じて、リサイズド画像データに対応する画像の画素数が、例えば、６４０×４８０ピクセル又は３２０×２４０ピクセルとなるように調整されればよい。
【００４２】
このリサイズド画像データがメモリＩＣ３８に転送されると、撮像画像信号から作成された画像データは、図示しないＣＰＵによってメモリカード２８に転送されると共に、リサイズド画像データが表示制御部３６の図示しないメモリに転送されて撮像画像がＬＣＤモニタ２２に表示されるようになっている。メモリカード２８に画像データが転送されると、この画像データはメモリカード２８に書き込まれ、画像データを保存できるようになっている。
【００４３】
ここで、メモリカード２８に画像データが書き込まれている際、あるいはメモリカード２８に画像データの書込みが終了している際であっても、レリーズスイッチ２６を押し下げた状態（オン状態）であれば、プレビュー画像表示が継続されるようになっている。これにより、レリーズスイッチ２６をオン状態とする時間に応じて、プレビュー画像表示する時間を変更することができる。
【００４４】
このレリーズスイッチ２６の状態を、押し下げた状態（オン状態）からレリーズ上げ（オフ状態）し、レリーズスイッチ２６を押し下げる前の状態に復帰させると、プレビュー画像表示が終了し、ＬＣＤモニタ２２にスルー画像表示を復帰させるようになっている。
【００４５】
なお、カメラ１０では、電源オン時において、レリーズスイッチ２６がオフ状態で予め定められた一定時間を経過した場合、電力の消費を抑えるために電源をオフにするようになっている。
【００４６】
次に、本実施の形態の作用を説明する。
【００４７】
図３には、スルー画像表示とプレビュー画像表示との切換え動作を示すフローチャートが示されている。
【００４８】
カメラ１０の電源をオンにすると（ステップ１００）、ステップ１０２へ移行し、スルー画像をＬＣＤモニタ２２に表示し、ステップ１０４へ移行する。
【００４９】
ステップ１０４では、オン状態検出部３４によって、レリーズスイッチ２６がオン状態であるか否かが検出され、レリーズスイッチ２６を押し下げることがない状態（オフ状態）のまま一定時間経過したか否かが判断される。この判断が肯定されるとステップ１０６へ移行し、この判断が否定されるとステップ１２４へ移行する。
【００５０】
ステップ１０４での判断が否定された場合、ステップ１０６へ移行し、オン状態検出部３４によってレリーズスイッチ２６が半押し（レリーズスイッチ２６がオン）されたか否かが判断される。この判断が肯定されるとステップ１０８へ移行し、この判断が否定されるとステップ１１２へ移行する。
【００５１】
ステップ１０６での判断が肯定されると、ステップ１０８へ移行し、ＡＥ／ＡＦ算出部３０によってＡＥ値及びＡＦ値が算出される。ＡＥ値及びＡＦ値が算出されると、ステップ１１０へ移行する。ステップ１１０では、レンズ１２の絞り値及び被写体の焦点位置が補正される。この絞り値及び焦点位置が補正されると、ステップ１１２へ移行する。
【００５２】
ステップ１０６での判断が肯定され、ステップ１０８〜１１０の処理が終了した場合、あるいはステップ１０６での判断が否定された場合、ステップ１１２へ進み、オン状態検出部３４によってレリーズスイッチ２６が全押し（レリーズスイッチ２６がオン）されたか否かが判断される。ステップ１１２で否定されると、ステップ１０２へ戻り、肯定されるとステップ１１４へ進む。ステップ１１２の判断が否定された場合にはスルー画像の表示を継続する。
【００５３】
次のステップ１１４では、ＣＣＤ１４によって被写体を撮像し、画像処理部２０が、ＣＣＤ１４からの撮像画像信号を増幅回路１６及びＡ／Ｄコンバータ１８を介して取り込む。画像処理部２０では、この撮像信号から画像データ及びリサイズド画像データを作成する。この画像データ及びリサイズド画像データの作成が完了すると、ステップ１１６へ移行する。
【００５４】
ステップ１１６では、オン状態検出部３４によってレリーズスイッチ２６が撮像直後から継続してオン状態であるか否かが判断される。この判断が肯定されるとステップ１１８へ移行し、この判断が否定されると上述したステップ１０２へ移行してスルー画像の表示を継続する。なお、否定された場合であっても画像データの記憶は可能である。
【００５５】
ステップ１１８では、レリーズスイッチ２６が撮像直後から継続してオン状態であるため、表示制御部３６が作動し、ＬＣＤモニタ２２でプレビュー画像表示を実行する。このプレビュー画像表示が終了すると、上述したステップ１０２へ移行してスルー画像をＬＣＤモニタ２２に表示する。
【００５６】
一方、上述したステップ１０４での判断が肯定されると、ステップ１２４へ移行し、電力の消費を抑えるためにカメラ１０の電源をオフにする。
【００５７】
図４には、ステップ１１８におけるプレビュー画像表示処理の詳細を示すフローチャートが示されている。
【００５８】
プレビュー画像表示が開始されると（ステップ２００）、ステップ２０２へ移行し、ズームボタン４０が押圧されたか否か、すなわち表示対象領域サイズ変更指示が得られたか否かが判断される。この判断が肯定されるとステップ２０４へ移行し、否定されるとステップ２０６へ移行する。
【００５９】
ステップ２０２での判断が肯定され、ステップ２０４へ移行すると、撮像画像の表示対象領域のサイズの変更が拡縮変更部４６によって行われる。この表示領域のサイズの変更が終了すると、ステップ２０６へ移行する。なお、拡大表示での表示対象領域の限界又は縮小表示での表示対象領域の限界が予め設定された表示対象領域（例えば、撮像画像の全体（フルサイズ）等）である場合には、表示対象領域のサイズを変更せずに次のステップ２０６へ移行するようにしてもよい。
【００６０】
ステップ２０２での判断が否定された場合、あるいはステップ２０４での処理が完了した場合、ステップ２０６へ移行する。ステップ２０６では、十字キー４２が押圧されたか否か、すなわち、画像信号処理部２０によって、表示対象領域設定指示が得られたか否かが判断される。この判断が肯定されるとステップ２０８へ移行し、否定されるとステップ２１０へ移行する。
【００６１】
ステップ２０６での判断が肯定され、ステップ２０８へ移行すると、ステップ２０８では、撮像画像の表示対象領域の設定、すなわちこの表示領域の位置の変更が位置変更部４８によって行われる。この表示対象領域の位置の変更が終了すると、ステップ２１０へ移行する。なお、表示対象領域が予め設定された位置変更限界の箇所（例えば、撮像画像の端部等）に位置している場合には、表示対象領域の位置を変更せずに次のステップ２１０へ移行するようにしてもよい。
【００６２】
ステップ２１０では、レリーズスイッチ２６がオフとされたか否かが判断される。この判断が否定されると、ステップ２０２へ戻り、肯定されるとステップ２１２へ進んでプレビュー画像表示を終了する。
【００６３】
本実施の形態では、レリーズスイッチ２６がオン状態であるか否かによってプレビュー画像表示を行う時間を変更できるものとしたが、本発明はこれに限らない。プレビュー画像表示を行うように指示するプレビュースイッチをレリーズスイッチ２６とは別途設け、撮像直後にこのプレビュースイッチをオン状態としている間だけプレビュー画像表示を行うようにしてもよい。
【００６４】
また、本実施の形態では、プレビュー画像となり得る撮像画像の表示対象領域の大きさ、位置等をユーザの操作によって変更することができるものとしたが、本発明はこれに限らない。リサイズド画像データに対するメモリ容量に制約がある場合には、図５に示される如く、通常のプレビュー画像（撮像画像の全体を表示対象領域としたプレビュー画像▲１▼）に対応するリサイズド画像データと、撮像画像の中央部を拡大したプレビュー画像（撮像したフルサイズの撮像画像の中央部を表示対象領域としたプレビュー画像▲２▼）に対応するリサイズド画像データと、を用意しておき、ユーザの操作に応じてプレビュー画像▲１▼又はプレビュー画像▲２▼の何れか一方をＬＣＤモニタに表示するようにすればよい。
【００６５】
本実施の形態によれば、撮像直後に継続してレリーズスイッチ２６を押し下げている場合（レリーズスイッチがオン状態の場合）、このレリーズスイッチ２６を押し下げている間だけプレビュー画像表示を行うようにしているため、このプレビュー画像表示を行う時間を変更することができる。
【００６６】
また、カメラ１０は、レリーズスイッチ２６をオン状態とする時間に応じて、撮像指示後に撮像画像を表示する時間を変更すると共に、この撮像画像の表示対象領域の大きさを変更して表示することができるので、撮像画像の詳細な確認を容易にすることができる。
【００６７】
さらに、カメラ１０では、画像信号処理部２０がプレビュー画像表示制御部３２と表示対象領域変更部４４とを有し、撮像画像の表示対象領域の大きさの変更の制御と表示制御とが分散して行われるため、装置にかかる負荷を軽減することができる。
【００６８】
また、カメラ１０は、撮像画像の表示対象領域の大きさの変更だけでなく、表示対象領域の位置も変更することで、撮像直後の撮像画像の詳細な確認がより一層容易となる。
【００６９】
さらに、カメラ１０では、プレビュー画像表示制御部３２は、オン状態検出部３４を含むことで、表示継続時間を容易に把握することができる。
【００７０】
また、カメラ１０では、撮像指示手段であるレリーズボタン２６をプレビュー画像表示を行うための指示手段としているため、装置構成の簡略化を図ることができる。
【００７１】
【発明の効果】
以上説明した如く本発明によれば、指示手段をオン状態とする時間に応じて、撮像指示後に前記撮像画像を表示する時間を変更すると共に、この撮像画像の表示対象領域の大きさを変更して表示することができるので、撮像画像の詳細な確認を容易にすることができる。
【図面の簡単な説明】
【図１】本実施の形態に係るデジタルカメラの構成の概要を示すブロック図である。
【図２】本実施の形態に係るデジタルカメラの撮像時の動作を示すシーケンス図である。
【図３】本実施の形態に係るスルー画像表示とプレビュー画像表示との切換え動作を示すフローチャートである。
【図４】本実施の形態に係るプレビュー画像表示処理の詳細を示すフローチャートである。
【図５】本実施の形態に係るデジタルカメラにおけるプレビュー画像表示の変形例である。
【符号の説明】
１０　　　デジタルカメラ
１４　　　ＣＣＤ（撮像手段）
２０　　　画像信号処理部（制御手段）
２２　　　ＬＣＤモニタ（表示手段）
２６　　　レリーズスイッチ（指示手段）
３２　　　プレビュー画像表示制御部（表示制御手段）
３４　　　オン状態検出部（検出手段）
３６　　　表示制御部
３８　　　メモリＩＣ
４０　　　ズームボタン（入力手段）
４２　　　十字キー（入力手段）
４４　　　表示対象領域変更部（領域制御手段）
４６　　　拡縮変更部
４８　　　位置変更部（位置制御手段）
【図１】
2004146901.tif 000003
【図２】
2004146901.tif 000004
【図３】
2004146901.tif 000005
【図４】
2004146901.tif 000006
【図５】
2004146901.tif 000007